(57)【要約】【課題】  シートのカール方向に関係なく、シートを処理トレイ部の所定位置にセットできるようにしたシート処理手段を有する後処理装置を提供することを目的とする。【解決手段】  搬送されてくるシートの先端が載置されるシート先端受け部５１と、シートが積載されるトレイ５２を有する処理トレイ部５と、トレイ５２に積載されたシートに所定の処理を施すシート処理手段４と、を備える後処理装置において、処理トレイ部５に搬送されてくるシートをトレイ５２方向に付勢するとともに、シートをトレイ５２上に積載するシート付勢手段６を備える。【選択図】  図３
2006137549.tif 000002
【特許請求の範囲】
【請求項１】
搬送されてくるシートの先端が載置されるシート先端受け部と、前記シートが積載されるトレイを有する処理トレイ部と、前記トレイに積載された前記シートに所定の処理を施すシート処理手段と、を備える後処理装置において、
前記処理トレイ部に搬送されてくる前記シートを前記トレイ方向に付勢するとともに、前記シートを前記トレイ上に積載するシート付勢手段を備えたことを特徴とする後処理装置。
【請求項２】
前記シート付勢手段は、前記処理トレイ部に対する前記シートの搬送方向に対して直交するように配設され、かつ、前記シートの搬送方向に回転可能な回転軸と、前記回転軸に設けられ、前記回転軸の回転に伴って前記シートに当接して前記シートを前記トレイ方向に付勢する押圧片とから形成されていることを特徴とする請求項１に記載の後処理装置。
【請求項３】
前記押圧片は、前記シートに当接する先端に、前記シートの搬送方向に対して直交する方向に移動可能なコロを有し、前記処理トレイ部に積載された前記シートを前記搬送方向に直交する方向にスライドする際、前記コロにより前記シートを前記トレイ側に押圧することを特徴とする請求項１または請求項２に記載の後処理装置。
【請求項４】
前記押圧片は、前記回転軸の周方向に複数個設けられていることを特徴とする請求項２または請求項３に記載の後処理装置。
【請求項５】
前記押圧片は、前記回転軸の幅方向に複数個設けられていることを特徴とする請求項２乃至請求項４のいずれかに記載の後処理装置。
【請求項６】
前記シート処理手段は、前記処理トレイ部に前記シートを搬入するシート搬入手段を有しており、前記シート搬入手段は、前記シートを搬入する際、前記シートを搬入方向に沿って波形状にして、前記シートに腰を付与することを特徴とする請求項１に記載の後処理装置。
【請求項７】
前記シート搬入手段は、前記シートを前記処理トレイ部へ搬送する複数の搬送ローラ対と、前記搬送ローラ対間であって、前記搬送ローラ対の従動ローラと同軸上に配設され、かつ、前記従動ローラより大径のローラとから形成されていることを特徴とする請求項６に記載の後処理装置。
【請求項８】
前記シート処理手段は、前記処理トレイ部に搬送された前記シートの後端を揃える後端揃え手段を有し、前記後端揃え手段は、前記処理トレイ部に前記シートが搬送される度に、前記シートの後端を揃えることを特徴とする請求項１に記載の後処理装置。
【発明の詳細な説明】
【技術分野】
【０００１】
本発明は、複写機、プリンタ、ファクシミリなどの画像形成装置、特に画像形成装置本体から出力された画像形成後のシートに、ステイプル処理などのシート処理手段を有する後処理装置に関する。
【背景技術】
【０００２】
一般的に、複写機、プリンタ、ファクシミリなどの画像形成装置においては、画像形成装置本体より排出された画像形成後のシートに対して、ステイプル処理や所望位置に綴じ込み用の孔などを穿孔（パンチ）する穿孔処理、二つ折り（中折り）処理などのシート処理手段を有する後処理装置をオプション機能として付加したものが種々提案されている。
【０００３】
このようなシート処理手段では，所定の処理トレイ部のトレイに順次搬送されてくるシートを積載させて，積載したシートにステイプル処理などの処理を施すよう構成されている。ところが、画像形成部から搬送される画像形成後のシートが、シートの搬送方向においてトレイの反対側へカール（湾曲）している場合、シートの先端がシート先端受け部のシートの受け幅より外側にはみ出してしまい、シート先端受け部で受け止めることができないという問題があった。
【０００４】
この対策として、従来では、例えば、画像形成部から搬送される画像形成後のシートの先端および該シートの一方の面それぞれを、所定のシート先端受け部および傾斜して設けられたトレイで受けるよう構成された処理トレイ部に、積載されるシートの先端付近を該シートの両面それぞれから略対向して付勢する第１および第２の弾性フィルム部材を設けたものがある。（例えば、特許文献１参照）。
【特許文献１】特許２００４−９１１９１号公報
【発明の開示】
【発明が解決しようとする課題】
【０００５】
しかし、上述の特許文献記載の構成では、シートのカール方向が、シートの搬送方向においてトレイの反対側へカール、即ち、トレイの傾斜に対してシ−トの端部が浮き上がる場合には、効果的に対応することができ、都合が良い。しかしながら、図１０に示すように、シートＰのカール方向が逆で、トレイ５２側へカール、即ち、トレイ５２の傾斜に対してシ−トＰ（２点鎖線）の中央部分が浮き上がる場合には、次に受け入れられるシートＰ（点線）の先端が、先に受け入れられたシートＰの浮き上がた部分Ａ付近で当たる。この結果、このような場合には、対応することができず、シートＰを処理トレイ部５の所定位置にセットできないといった不都合がある。
【０００６】
本発明は、上述した課題を解決するためになされたものであり、シートのカール方向に関係なく、シートを処理トレイ部の所定位置にセットできるようにしたシート処理手段を有する後処理装置を提供することを目的とする。
【課題を解決するための手段】
【０００７】
上記目的を達成するために、請求項１記載の発明では、搬送されてくるシートの先端が載置されるシート先端受け部と、シートが積載されるトレイを有する処理トレイ部と、トレイに積載されたシートに所定の処理を施すシート処理手段と、を備える後処理装置において処理トレイ部に搬送されてくるシートをトレイ方向に付勢するとともに、シートをトレイ上に積載するシート付勢手段を備える。
【０００８】
請求項２記載の発明では、シート付勢手段は、処理トレイ部に対するシートの搬送方向に対して直交するように配設され、かつ、シートの搬送方向に回転可能な回転軸と、回転軸に設けられ、回転軸の回転に伴ってシートに当接してシートをトレイ方向に付勢する押圧片とから形成されている。
【０００９】
請求項３記載の発明では、押圧片は、シートに当接する先端に、シートの搬送方向に対して直交する方向に移動可能なコロを有し、処理トレイ部に積載されたシートを搬送方向に直交する方向にスライドする際、コロによりシートをトレイ側に押圧するように形成する。
【００１０】
請求項４記載の発明では、押圧片は、回転軸の周方向に複数個設けられている。
請求項５記載の発明では、押圧片は、前記回転軸の幅方向に複数個設けられている。
請求項６記載の発明では、シート処理手段は、処理トレイ部に前記シートを搬入するシート搬入手段を有しており、シート搬入手段は、シートを搬入する際、シートを搬入方向に沿って波形状にして、シートに腰を付与する。
【００１１】
請求項７記載の発明では、シート搬入手段は、シートを処理トレイ部へ搬送する複数の搬送ローラ対と、搬送ローラ対間であって、搬送ローラ対の従動ローラと同軸上に配設され、かつ、従動ローラより大径のローラとから形成されている。
【００１２】
請求項８記載の発明では、シート処理手段は、処理トレイ部に搬送されたシートの後端を揃える後端揃え手段を有し、後端揃え手段は、処理トレイ部にシートが搬送される度に、シートの後端を揃える。
【発明の効果】
【００１３】
請求項１記載の発明の構成によれば、処理トレイ部に搬送されてくるシートは、シート付勢手段により、トレイ方向に付勢し、シートを押さえてトレイ上に積載するようにしている。従って、処理トレイ部に搬送されるシートのカールは、是正されるので、シートは、確実に処理トレイ部の所定位置にセットすることができる。
【００１４】
請求項２記載の発明の構成によれば、シート付勢手段は、処理トレイ部に対するシートの搬送方向に対して直交するように配設され、かつ、シートの搬送方向に回転可能な回転軸と、回転軸に設けられ、回転軸の回転に伴ってシートに当接してシートをトレイ方向に付勢する押圧片を設ければよい。従って、その構成がきわめて簡単なものとなり、都合が良い。
【００１５】
請求項３記載の発明の構成によれば、押圧片は、シートに当接する先端に、シートの搬送方向に対して直交する方向に移動可能なコロを有し、処理トレイ部に積載されたシートを搬送方向に直交する方向にスライドする際、コロによりシートをトレイ側に押さえるように形成している。従って、シートが積載されたシート束を処理トレイ部内で、シートの搬送方向に直交する横方向に移動する際にも、シート束がコロによりトレイ側に付勢された状態で移動するので、シート束が崩れることなく横方向の移動が可能となり、都合が良い。
【００１６】
請求項４記載の発明の構成によれば、押圧片は、回転軸の周方向に複数個設けているので、シートを付勢する際、回転軸の回転角度が小さくでき、都合が良い。
請求項５記載の発明の構成によれば、押圧片は、回転軸の幅方向に複数個設けられているので、幅広のシートに対応することができ、都合が良い。
【００１７】
請求項６記載の発明の構成によれば、処理トレイ部に、シートを搬入する際、シートは、シート搬入手段により、シートを搬入方向に沿って波形状に形付けられ、シートに腰が付与されている。従って、処理トレイ部に搬入される際のシートは、トレイへの進入角度が浅くなり、トレイの傾斜面に沿って確実に積載することができ、都合が良い。
【００１８】
請求項７記載の発明の構成によれば、シート搬入手段は、シートを処理トレイ部へ搬送する複数の搬送ローラ対と、搬送ローラ対間であって、搬送ローラ対の従動ローラと同軸上に配設され、かつ、従動ローラより大径のローラとから形成されている。従って、搬送ローラ対を備えたシート搬入手段に、従動ローラより大径のローラを、搬送ローラ対間に位置するように、従動ローラと同軸上に配設すれば良く、きわめて簡単な構成とすることができる。また、既存のシート搬入手段に、腰付け機能を簡単に付設することもでき、都合が良い。
【００１９】
請求項８記載の発明の構成によれば、シート処理手段は、処理トレイ部にシートが搬送される度に、シートの後端を後端揃え手段により揃えるようにしているので、トレイ上に積載されるシート束は、規則正しく整えることができ、都合が良い。
【発明を実施するための最良の形態】
【００２０】
（第１実施形態）
以下に、本発明の具体的な一実施形態について図１を参照しながら説明する。図１は、本発明の第１実施形態に係るシート処理手段を有する後処理装置を備えた画像形成装置の全体構成を示す概略図である。
【００２１】
図１に示すように、画像形成装置である複写機１は、装置本体２と、装置本体２の下流側に配置され、装置本体２より排紙される画像形成後のシートＰを後処理する後処理装置３とを備えている。
【００２２】
装置本体２は、原稿を自動的に画像読取手段２１に搬送する原稿搬送手段２２と、画像読取手段２１により読取った画像をシートＰに形成する画像形成手段２３と、定着手段２４と、シートＰが収納された給紙部２５を備えている。また、シートＰを画像形成手段２３、定着手段２４を介して排出部２６に搬送する用紙搬送手段２７と、各種入力スイッチなどとして機能する操作表示部（不図示）と、複写機１全体の制御を司る制御手段（不図示）を備えている。
【００２３】
画像読取手段２１は、周知の通り、コンタクトガラス２２１上に載置された原稿に、露光ランプから光を照射し、反射鏡を介してその反射光をＣＣＤセンサなどからなる光電変換部に導くことにより、原稿の画像情報を読み取る。
【００２４】
原稿搬送手段２２は、原稿を載置するための原稿給紙用トレイ２２２と、原稿給紙用トレイ２２２に積載された原稿を給紙する原稿給紙ローラと、給紙された原稿を搬送するための原稿給紙用搬送路２２３と、読み終えた原稿を、排出する原稿排出部などを備えている。
【００２５】
画像形成手段２３は、画像読取手段２１の下方に配設され、電子写真プロセスによって、シートＰ上に所定のトナー像を形成するもので、回転可能に軸支された光導電性を有する、例えば、図１に示す矢印の方向に回転するドラム状の感光体２３１と、この感光体２３１の周囲に、その回転方向に沿って作像プロセス順に、帯電装置、光走査装置、現像装置、転写部、クリーニング装置と除電ユニットとから構成されている。
【００２６】
定着手段２４は、画像形成手段２３のシートＰの搬送方向の下流側に配置され、画像形成手段２３においてトナー像が転写されたシートＰを、回転する加熱ローラ２４１と、この加熱ローラ２４１と共同して押圧回転する加圧ローラ２４２とを備えている。これら一対の加熱ローラ２４１と、加圧ローラ２４２との間に、未定着トナー像を担持したシートＰを挟持搬送し、加熱、加圧し、未定着トナー像をシートＰ上に定着させる。
【００２７】
給紙部２５は、複数の給紙カセット２５１を有しており、給紙カセット２５１に積層されたシートＰの束を、給紙ローラ２５３の回転動作によって最上位のシートＰから１枚ずつ用紙搬送手段２７に給紙する。
【００２８】
用紙搬送手段２７は、給紙部２５から給紙されたシートＰを、上下一対のレジストローラ２７１および各種ローラ対やガイド板によって画像形成手段２３に搬送する。上下一対のレジストローラ２７１は、画像形成手段２３の感光体２３１に形成されたトナー像と同期を取りながら搬送するように制御手段により制御されている。更に、画像形成手段２３において画像形成がなされ、未定着トナー像を担持したシートＰは、用紙搬送手段２７により定着手段２４に搬送され、定着後、排紙ローラなどによって排出部２６から装置本体２の外部に排出されるとともに、後処理装置３に搬送される。
【００２９】
図示しない操作表示部は、印刷指示入力用のプリントキー、印刷枚数などの入力用のテンキーなどからなる操作部と、複写機１で操作可能な各機能、用紙詰まりなどのトラブル状況などを表示する液晶パネルなどの表示装置とを備えている。
【００３０】
また、図示しない制御手段には、主演算機能を行う演算部および装置本体２の動作制御用のプログラムなどが記憶されたＲＯＭや、各プログラムの作業領域などとして一時的にデータを保管および画像読取手段２１で得られた原稿の画像データを一時的に記憶するＲＡＭなどからなる記憶部が内蔵されたマイクロコンピュータなどにより構成されている。そして、操作表示部のスタートキーが押されると、複写動作を行わせる制御信号を画像読取手段２１、原稿搬送手段２２、画像形成手段２３、定着手段２４、給紙部２５、排出部２６、用紙搬送手段２７などの各ブロックに出力してその動作を制御する。
【００３１】
この装置本体２の基本的な作動状態を簡単に説明すると、帯電装置により感光体２３１が一様に帯電され、画像読取手段２１で読み取られた画像情報に基づいて、例えば、レーザー走査装置などからなる光走査装置２８からのレーザービームなどの光ビームにより感光体２３１上に静電潜像が形成され、現像装置により静電潜像に現像剤が付着されてトナー像が形成される。
【００３２】
上記のようにしてトナー像が形成された感光体２３１に向けて、給紙部２５からシートＰが画像形成手段２３に搬送される。このとき、シートＰは、レジストローラ２７１により、感光体２３１に形成されたトナー像と同期を取りながら用紙搬送手段２７により搬送される。その後、画像形成手段２３において感光体２３１の表面におけるトナー像がシートＰに転写される。そして、未定着トナー像を担持したシートＰは、定着手段２４に搬送されてトナー像が定着される。定着手段２４を通過したシートＰは、排紙ローラを経て排出部２６から装置本体２の外部へ排出される。そして、転写部による転写後に感光体２３１は、クリーニング装置および除電装置で残留トナー、残留電荷を除去して、必要に応じて再び帯電装置で帯電される。
【００３３】
後処理装置３は、装置本体２の下流側に配置され、装置本体２より排紙される画像形成後のシートＰに所定の処理を施すシート処理手段および各種処理を終えたシートＰを排出するメイントレイ３１、サブトレイ３２、中折用トレイ３３などを備えている。本実施形態では、シート処理手段として、例えば、シートＰに穿孔処理を行う穿孔処理手段３４と、ステイプル処理を行うステイプル処理手段３５と、中折処理を行う中折処理手段３６などを備えている。
【００３４】
次に、装置本体２に接続され、装置本体２から搬送される画像形成後のシートＰを受け入れるように形成された処理トレイ部を備え、処理トレイ部に積載されたシートＰに所定の処理を行うシート処理手段について、図２乃至図６および上述した図１を参照しながら説明する。
【００３５】
図２は、本発明の第１実施形態に係るステイプル処理手段であるシート処理手段の要部構成を示す概略斜視図、図３は、図２を上方から見た概略上面図、図４は、本実施形態に用いられるシート搬入手段の一例を示す概略上面図である。図５および図６は、何れも本実施形態によるシート処理手段を模式的に示した概略側面図である。尚、ステイプル処理手段は、周知の構成を用いることができるので、以下の説明では、ステイプル処理手段の構成については、説明および図示を省略する。
【００３６】
本実施形態におけるシート処理手段４は、ステイプル処理を行うステイプル処理手段３５に適用したものであり、搬送されてくるシートＰを順次積載する処理トレイ部５と、処理トレイ部５にシートＰを搬送するために、処理トレイ部５の上流側に配設されたシート搬入手段７と、処理トレイ部５に受け入れたシートＰの後端部を揃える後端揃え手段８とを備えている。また、処理トレイ部５には、例えば、シートＰが搬送される度に、シートＰの他方の面Ｐ２（図６参照）をトレイ５２方向に付勢し、シートＰをトレイ５２上に積載するシート付勢手段６を備えている。
【００３７】
処理トレイ部５は、シート搬入手段７から搬送されてくるシートＰの先端およびシートＰの一方の面Ｐ１（図６参照）それぞれを、所定のシート先端受け部５１および傾斜して設けられたトレイ５２で受けるよう形成されている。シート先端受け部５１は、無端ベルト（不図示）に取付けられており、当該無端ベルトの正転および逆転によって傾斜方向に沿って上下に移動するよう構成されている。トレイ５２は、左右に設けられた断面Ｌ字状のカーソル５３ａ、５３ｂと、シート案内部材５４ａ、５４ｂと、カーソル５３ａ、５３ｂをシートＰの幅方向である左右に移動するためのモータ５５ａ、５５ｂと、このモータ５５ａ、５５ｂからの駆動力をカーソル５３ａ、５３ｂに伝達するラック５６ａ、５６ｂなどから構成されている。
【００３８】
シート付勢手段６は、シートＰの搬送方向（図５、図６の矢印Ｙ方向）に対して直交するように配設され、かつ、シートＰの搬送方向に回転可能な回転軸６１と、回転軸６１に設けられ、回転軸６１の回転に伴ってシートＰの他方の面Ｐ２に当接してシートＰをトレイ５２方向に付勢する押圧片６２とから形成されている。本実施形態では、押圧片６２は、回転軸６１の幅方向に、図３に示すように２個併設されている。このシート付勢手段６は、シート搬入手段７の下流側近傍に設けられたセンサー９により、シートＰの受け入れを検知することにより、所定のタイミングで図示しない駆動モータなどにより回転軸６１が駆動され、押圧片６２によりシートＰをトレイ５２上に積載するように付勢する。
【００３９】
本実施形態によるシート搬入手段７は、シートＰを搬入する際、シートＰを搬入方向に沿って波形状（図４参照）にして、シートＰに腰を付与するものである。このシート搬入手段７は、例えば、処理トレイ部５にシートＰを搬送する駆動ローラ７１と従動ローラ７２とからなる搬送ローラ対７３と、複数の搬送ローラ対７３間であって、搬送ローラ対７３の従動ローラ７２と同じ従動軸７４上に配設され、かつ、従動ローラ７２より大径の、例えば、弾性体などからなるローラ７５とから形成されている。駆動ローラ７１は、図示しない駆動モータにより駆動される駆動軸７６に装着されている。
【００４０】
また、後端揃え手段８は、例えば、シート後端押さえ部材８１を無端ベルト８２に取付けられており、当該無端ベルト８２の正転および逆転によって、シート後端押さえ部材８１は、トレイ５２の傾斜方向に沿って上下に移動する。この移動により、処理トレイ部５にシートＰが搬送される度に、シートＰの後端を揃えるように構成されている。この後端揃え手段８は、センサー９により、シートＰの受け入れを検知することにより、所定のタイミング、即ち、シートＰがトレイ５２上に着地した時点で図示しない駆動モータなどにより無端ベルト８２が駆動され、シート後端押さえ部材８１によりシートＰの後端を、例えば、軽く叩くようにして揃える。
【００４１】
処理トレイ部５と、シート付勢手段６と、シート搬入手段７および後端揃え手段８との配置関係は、シートＰの先端が、後端揃え手段８とシート付勢手段６との間の２／３以上下流側に着地するように構成すると、シートＰがよりスムースにトレイ５２の上に着地するので望ましい。
【００４２】
次に、上述の構成により、シートＰをシート処理手段４に受け入れる手順について説明する。先ず、図５に示すようにシートＰをシート搬入手段７により搬入方向に沿って波形状（図４参照）に腰を付与しながら処理トレイ部５に搬入する。その後、シートＰの後端がセンサー９を通過した後、所定のタイミング、例えば、シートＰの先端がトレイ５２に当接する直前または当接後に、シート付勢手段６を駆動し、図６に示すように、押圧片６２を矢印方向に回転し、押圧片６２の先端部をシートＰの他方の面Ｐ２に当接する。これにより、シートＰは、点線で示すようにトレイ５２方向に付勢されながら、トレイ５２に沿うように処理トレイ部５に受け入れられる。
【００４３】
次いで、シートＰの先端がシート先端受け部５１に入った後、後端揃え手段８が駆動され、無端ベルト８２が正転および逆転され、これに伴って、シート後端押さえ部材８１は、トレイ５２の傾斜方向に沿って上下に移動して、シートＰの後端が揃えられる。また、この後端揃えと同時に、モータ５５ａ、５５ｂを駆動し、トレイ５２の左右のカーソル５３ａ、５３ｂをシートサイズ幅方向の位置まで移動する。このカーソル５３ａ、５３ｂの移動により、シートＰの幅方向の両端が揃えられる。その後、カーソル５３ａ、５３ｂは、シートＰの受け入れ幅まで広がるとともに、押圧片６２およびシート後端押さえ部材８１が、トレイ５２上に積載されたシートＰから、離れた待機位置に移動する。全部のシートＰのストックが終了するまで、上述の動作が繰り返され、ストックが終了すると、押圧片６２が待機位置に移動した状態で、図示しないステイプル処理手段により後処理が行われ、処理後、シート処理手段４から排出される。
【００４４】
以上の構成による本実施形態によれば、シート付勢手段６により、処理トレイ部５にシートＰが搬送される度に、シートＰの他方の面Ｐ２をトレイ５２方向に付勢し、シートＰを押さえてトレイ５２上に積載するようにしている。従って、処理トレイ部５に搬送されるシートＰのカールは、是正されるので、シートＰは、確実に処理トレイ部５の所定位置にセットすることができる。
【００４５】
また、シート付勢手段６は、シートＰの搬送方向に対して直交するように配設され、かつ、シートＰの挿入方向に回転可能な回転軸６１に、回転軸６１の回転に伴ってシートＰの他方の面Ｐ２に当接してシートＰをトレイ５２方向に付勢する押圧片６２を設ければよい。従って、その構成がきわめて簡単なものとなり、都合が良い。また、押圧片６２は、回転軸６１の幅方向に複数個設けられているので、幅広のシートＰに対応することができ、都合が良い。
【００４６】
また、処理トレイ部５に、シートＰを搬入する際、シートＰは、シート搬入手段７により、シートＰを搬入方向に沿って波形状に形付けられ、シートＰに腰が付与されている。従って、処理トレイ部５に搬入される際のシートは、トレイ５２への進入角度が浅くなり、トレイ５２の傾斜面に沿って確実に積載することができ、都合が良い。
【００４７】
また、シート搬入手段７は、シートＰを処理トレイ部５に搬入する複数の搬送ローラ対７３と、搬送ローラ対７３間であって、搬送ローラ対７３の従動ローラ７２と同軸上に配設され、かつ、従動ローラ７２より大径のローラ７５とから形成されている。従って、搬送ローラ対７３を備えたシート搬入手段７に、従動ローラ７２より大径のローラ７５を、搬送ローラ対７３間に位置するように、従動ローラ７２と同軸上に配設すれば良く、きわめて簡単な構成とすることができる。また、既存のシート搬入手段に、腰付け機能を簡単に付設することもでき、都合が良い。
【００４８】
更に、シート処理手段４は、処理トレイ部５にシートＰが搬送される度に、シートＰの後端を後端揃え手段８により揃えるようにしているので、トレイ５２上に積載されるシート束は、規則正しく整えることができ、都合が良い。
【００４９】
（第２実施形態）
次に、本発明の第２実施形態について図７乃至図９を参照しながら説明する。図７は、本発明の第２実施形態に係るシート処理手段を模式的に示した概略側面図、図８は、図７に示す実施形態に用いられるシート付勢手段の他の例を示す概略即面図である。図９は、図７に示す実施形態に用いられるシート付勢手段の更に他の例を示す概略即面図である。なお、図７乃至図９において、上述した図１乃至図６と同じ符号を付した部分は、略同一のものを示すため、ここでは詳細な説明は省略する。以下、上述した実施形態との相違点を中心に説明する。
【００５０】
本実施形態では、シート付勢手段６は、図８に示すようにシートＰに当接する押圧片６２の先端に、シートＰの搬送方向（図７の矢印Ｙ方向）に直交する方向（シートＰの幅方向）に移動可能なコロ６３が設けられている。そして、処理トレイ部５に積載されたシートＰを、例えば、所定位置にステイプル処理を施すため、搬送方向Ｙに直交する方向にスライドする際、コロ６３によりシートＰをトレイ５２方向に押さえるように形成されている。
【００５１】
また、シート付勢手段６は、図９に示すように、押圧片６２を、回転軸６１の周方向に複数個、例えば、図示例では周方向に４個設けてある。このように、押圧片６２を、回転軸６１の周方向に複数個設けると、シートＰを付勢する際、回転軸６１の回転角度が小さくでき、都合が良い。
【００５２】
また、シート付勢手段６と、シート先端受け部５１との間に、回転ローラ１１に、例えば、合成樹脂フィルムなどからなり、弾力性を有する可撓性シート１２が設けられたスクロールロール１０が配設されている。このスクロールロール１０を回転することにより、積載されたシートＰは、積載方向（ストック方向）に押し圧される。
【００５３】
以上の構成による本実施形態によれば、上述した実施形態と同様、処理トレイ部５に搬送されるシートＰのカールは、是正されるので、シートＰは、確実に処理トレイ部５の所定位置にセットすることができる。しかも、押圧片６２は、シートＰに当接する先端に、シートＰの搬送方向に直交する方向に移動可能なコロ６３を有し、処理トレイ部５に積載されたシートＰを搬送方向に直交する方向にスライドする際、コロ６３によりシートＰをトレイ５２側に押さえるように形成している。従って、シートＰが積載されたシート束を処理トレイ部５内で、シートＰの搬送方向に直交する横方向に移動する際にも、シート束がコロ６３によりトレイ５２側に付勢された状態で移動するので、シート束が崩れることなく横方向の移動が可能となり、都合が良い。
【００５４】
なお、上述した各実施形態は、本発明の好適な実施形態であるが、本発明はこれに限定されるものではなく、本発明の要旨を逸脱しない範囲において、種々変形実施可能である。
【００５５】
例えば、上述した各実施形態では、複写機を例に挙げて説明したが、本発明は、例えばプリンタ装置、ファクシミリ装置、スキャナ装置、そしてコピー機能、プリンタ機能、スキャナ機能およびファクシミリ機能などの各種機能を兼ね備えた複合機などに対しても適用可能である。
【００５６】
また、上述した第１実施形態では、シートＰに腰を付与するためのシート付勢手段６として、従動ローラ７２と同軸上に従動ローラ７２より大径のローラ７５を設けたが、これに換えて、駆動ローラ７１と同軸上に駆動ローラ７１より大径のローラを設けても良いのは勿論である。
【産業上の利用可能性】
【００５７】
本発明の活用例としては、画像形成後のシートに所定の処理を施すシート処理手段を有する後処理装置を備えた画像形成装置が挙げられる。
【図面の簡単な説明】
【００５８】
【図１】本発明の一実施形態に係るシート処理手段を有する後処理装置を備えた画像形成装置としての複写機の全体構成を示す概略図である。
【図２】本発明の第１実施形態に係るステイプル処理手段であるシート処理手段の要部構成を示す概略斜視図である。
【図３】図２を上方から見た概略上面図である。
【図４】本実施形態に用いられるシート搬入手段の一例を示す概略上面図である。
【図５】本実施形態によるシート処理手段を模式的に示した概略側面図である。
【図６】本実施形態によるシート処理手段を模式的に示した概略側面図である。
【図７】本発明の第２実施形態に係るシート処理手段を模式的に示した概略側面図である。
【図８】図７に示す実施形態に用いられるシート付勢手段の他の例を示す概略即面図である。
【図９】図７に示す実施形態に用いられるシート付勢手段の更に他の例を示す概略即面図である。
【図１０】従来例のシート搬入手段を模式的に示した概略側面図である。
【符号の説明】
【００５９】
Ｐ…シート、Ｙ…搬送方向、３…後処理装置、４…シート処理手段、５…処理トレイ部、６…シート付勢手段、７…シート搬入手段、８…後端揃え手段、５１…シート先端受け部、５２…トレイ、６１…回転軸、６２…押圧片、６３…コロ、７２…従動ローラ、７３…搬送ローラ対、７５…ローラ
【図１】
2006137549.tif 000003
【図２】
2006137549.tif 000004
【図３】
2006137549.tif 000005
【図４】
2006137549.tif 000006
【図５】
2006137549.tif 000007
【図６】
2006137549.tif 000008
【図７】
2006137549.tif 000009
【図８】
2006137549.tif 000010
【図９】
2006137549.tif 000011
【図１０】
2006137549.tif 000012